(57)【要約】【課題】  本発明は、視認性や使い勝手の優れた見出し構造を具えたクリアファイルを、製造面でのコスト上昇を伴うことがなく提供することを課題とする。【解決手段】  本発明のクリアファイルＦは、柔軟な樹脂材料から成る矩形状の、おもてパネル１１と、うらパネル１２とによってパネル本体１を構成し、おもてパネル１１と、うらパネル１２間に形成されるポケット部１７において収納資料４を保持する文具事務用の用品において、前記パネル本体１には背折縁１３を接続縁２３として維持した見出しフラップ２が設けられるものであり、この見出しフラップ２は始発状態において、その自由周縁２２が弱化線２１を介してパネル本体１と一体化しており、且つこの見出しフラップ２は少なくともその一方の面に非透明化処理２４がなされていることを特徴とする。【選択図】図１
2010280184.tif 000002
【特許請求の範囲】
【請求項１】
柔軟な樹脂材料から成る矩形状の、おもてパネルと、うらパネルとが、背折縁と底縁とにおいて、接合状態とされて閉じ合わせ縁を構成するとともに、残余の二辺が開放縁とされて、これによってパネル本体を構成し、おもてパネルと、うらパネル間に形成されるポケット部において収納資料を保持する文具事務用の用品において、前記パネル本体には背折縁を接続縁として維持した見出しフラップが設けられるものであり、この見出しフラップは始発状態において、その自由周縁が弱化線を介してパネル本体と一体化しており、且つこの見出しフラップは少なくともその一方の面に非透明化処理がなされていることを特徴とするクリアファイル。
【請求項２】
前記非透明化処理はＵＶ印刷によって加工されたものであり、他の化粧印刷と共に加工されたものであることを特徴とする請求項１記載のクリアファイル。
【請求項３】
前記見出しフラップは複数片形成されることを特徴とする請求項１または２記載のクリアファイル。
【請求項４】
前記パネル本体にはカード保持部が設けられるものであり、このカード保持部はパネル本体の切り込みにより形成されていることを特徴とする請求項１、２または３記載のクリアファイル。
【請求項５】
前記カード保持部を形成するパネル本体の切り込みは、カードを全幅にわたって差し込む差込スリットと、カードの一端縁を押さえる縁押さえフラップとにより構成され、前記縁押さえフラップの基部保持縁と、背折縁または底縁を構成している閉じ合わせ縁との間隔寸法である保持寸法を、収納姿勢でのカードの対片寸法と合致させていることを特徴とする請求項４記載のクリアファイル。
【発明の詳細な説明】
【技術分野】
【０００１】
本発明は、書類、パンフレット等を簡易にまとめておく場合に好適なクリアファイルに関するものであって、特に内容物のテーマ等を表示しやすくしたクリアファイルの改良に係るものである。
【背景技術】
【０００２】
クリアファイルは、透明なおもて、うら二枚のシート状のパネルが、背折縁と底縁とで繋がり、残余の二辺を開放縁として、おもて、うら両パネル間をポケット部とするものであり、このポケット部に書類、パンフレット等を簡易にまとめておく場合に極めて便利なことから、言わば定番化した文具・事務用品として広く普及している。このようなクリアファイルは、その使用目的から内容物の確認や整理のためのインデックス（見出し）が設けられることが好ましく、種々の手法が見られる。例えばクリアファイルのパネルに更に別途同素材を溶着させて、インデックスの収納部を形成したり、あるいはパネルシートの開放縁の一部を突出するように原反シートからブランク取りし、見出しフラップを形成する等の手法が存在する。
【０００３】
しかしながらこれらいずれの手法も実際の使い勝手が今一つ悪かったり、製造面でのコストアップを招く等の不都合が指摘されている。すなわち前者のクリアファイルに別途見出し用の別素材片を溶着させるものにあっては、それだけ製造工程や必要素材が増え、製造コストの上昇は免れ得ない。また後者の見出しフラップを突出形成させるものは製造工程の増加はないものの、原反シートからブランク取りするにあたって、見出しフラップの張り出した分だけ、材料取りを多く要し、且つその増加した材料部分における見出しフラップ以外の部分は利用されないマージンとなり、材料利用の点でのコストアップは免れ得ない。また両者に共通するが、前記見出しの収納部あるいは見出しフラップ共に、これらはあらかじめクリアファイルの特定の個所に形成されており、見出しを段違い状にしてクリアファイル毎に検索しやすいようにしたい場合であっても、このような要請には対応することができない。
【０００４】
もちろん見出しフラップを形成するにあたり、別途材料取りをしない手法を開示したものとしては、実開昭６３−４９９８４号「ファイル」の出願が存在する。しかしながらこのものは、主としてバインダファイルに綴じ込むことを前提とした複雑なポケットファイルであり、また見出しフラップにおける視認性の向上等の工夫はなされていない。
【先行技術文献】
【特許文献】
【０００５】
【特許文献１】実開昭６３−４９９８４号公報
【発明の概要】
【発明が解決しようとする課題】
【０００６】
本発明はこのような背景を考慮してなされたものであって、視認性や使い勝手の優れた見出し構造を具えたクリアファイルを、製造面でのコスト上昇を伴うことがなく提供できる新規な技術を提案しようとするものである。
【課題を解決するための手段】
【０００７】
まず請求項１記載のクリアファイルは、柔軟な樹脂材料から成る矩形状の、おもてパネルと、うらパネルとが、背折縁と底縁とにおいて、接合状態とされて閉じ合わせ縁を構成するとともに、残余の二辺が開放縁とされて、これによってパネル本体を構成し、おもてパネルと、うらパネル間に形成されるポケット部において収納資料を保持する文具事務用の用品において、前記パネル本体には背折縁を接続縁として維持した見出しフラップが設けられるものであり、この見出しフラップは始発状態において、その自由周縁が弱化線を介してパネル本体と一体化しており、且つこの見出しフラップは少なくともその一方の面に非透明化処理がなされていることを特徴として成るものである。
【０００８】
また請求項２記載のクリアファイルは、前記請求項１記載の要件に加え、前記非透明化処理はＵＶ印刷によって加工されたものであり、他の化粧印刷と共に加工されたものであることを特徴として成るものである。
【０００９】
また請求項３記載のクリアファイルは、前記請求項１または２記載の要件に加え、前記見出しフラップは複数片形成されることを特徴として成るものである。
【００１０】
また請求項４記載のクリアファイルは、前記請求項１、２または３記載の要件に加え、前記パネル本体にはカード保持部が設けられるものであり、このカード保持部はパネル本体の切り込みにより形成されていることを特徴として成るものである。
【００１１】
また請求項５記載のクリアファイルは、前記請求項４記載の要件に加え、前記カード保持部を形成するパネル本体の切り込みは、カードを全幅にわたって差し込む差込スリットと、カードの一端縁を押さえる縁押さえフラップとにより構成され、前記縁押さえフラップの基部保持縁と、背折縁または底縁を構成している閉じ合わせ縁との間隔寸法である保持寸法を、収納姿勢でのカードの対片寸法と合致させていることを特徴として成るものである。
【発明の効果】
【００１２】
まず請求項１記載の発明によれば、見出しフラップはパネル本体の一部を利用して形成されるものであり、且つ見出しフラップは当初始発状態においては、突出しない状態であるから、使用者の要望に応じて非使用状態と、使用状態とを選択し得る。更にこの見出しフラップは非透明化処理がされており、見出しフラップとしての視認性に優れる。
【００１３】
また請求項２記載の発明によれば、見出しフラップにおける非透明化処理は、他の付随する化粧印刷と共に加工されたＵＶ印刷であり、必然的に採用される加工工程を利用して非透明化処理がなされるものであって、製造コストの上昇がもたらされない。
【００１４】
また請求項３記載の発明によれば、更に前記見出しフラップが複数片形成されているときには、多数のファイルを整理する場合に見出しフラップを段違い状に引き出して、その視認性をより明確にすることができる。
【００１５】
また請求項４記載の発明によれば、パネル本体には更にカード保持部が設けられているから、ここに内容物に関連する例えば名刺、あるいは更に必要情報を記載したカード等を保持することができ、収納資料の確認がより明確になされる。そしてこのカード保持部自体はパネル本体の切り込みにより構成されているから、ブランク取りの工程においてスリット状の切り込みを形成することにより加工でき、製造コストの上昇を伴わない。
【００１６】
また請求項５記載の発明によれば、カード保持部を形成するパネル本体の切り込みは、差し込みスリットと縁押さえフラップとにより構成されており、且つ縁押さえフラップの基部保持縁からの保持寸法は、カードの対辺寸法と合致させているからカードを安定的に保持し得るものである。
【図面の簡単な説明】
【００１７】
【図１】本発明のクリアファイルの使用状態を示し、併せ一部を拡大して示す一部破断斜視図である。
【図２】見出しフラップを拡大して示す水平断面図である。
【図３】カード保持部を拡大して示す正面図である。
【図４】クリアファイルの製造工程を示す平面図である。
【図５】見出しフラップの種々の実施例を示す斜視図である。
【図６】見出しフラップの使用状態から非使用状態に戻す場合の手法を示す平面図である。
【図７】同上他の見出しフラップを非使用状態に戻すための他の手法を示す説明図でる。
【発明を実施するための形態】
【００１８】
本発明を実施するための形態は以下述べる実施例を好適な形態とするとともに、本発明の技術思想内において改変し得る種々の形態を含むものである。
【実施例】
【００１９】
以下本発明のクリアファイルＦを図示の実施例に基づいて説明する。
本発明のクリアファイルＦは、実質的にパネル本体１として説明するものと同一であり、素材としては例えば柔軟な厚さ０．２ｍｍ程度の透明ポリプロピレン材料等を用いる。このパネル本体１は見出しフラップ２とカード保持部３とを具え、収納資料４を整理・保持するものである。パネル本体１はおもてパネル１１と、うらパネル１２とを具え、これらは、背折縁１３において折り重ねられた状態で、接続されており、また底縁１４において超音波ウェルダーによる溶着等の手法により接続されて、これらにより閉じ合わせ縁１５が形成される。そして残余の二辺は開放縁１６とされ、結果的にパネル本体１は、おもてパネル１１と、うらパネル１２との間にポケット部１７を形成する。そしてこのパネル本体１は、例えば販売促進用の資材として活用される場合等にあっては化粧印刷１８が形成される。
【００２０】
次に見出しフラップ２について説明する。見出しフラップ２は使用開始状態においては突出形成されておらず、必要に応じてこれを形成することができる。具体的には一例としてパネル本体１におけるうらパネル１２の背折線１３に沿った部位に一例として縦型長の横倒し台形状の弱化線２１を形成したものであり、弱化線２１と背折線１３に囲まれた部位が実質的に見出しフラップ２となる。この弱化線２１は、図２に拡大して示すように、例えばパネル本体１の素材厚さが０．２ｍｍのポリプロピレン素材に対し厚み寸法の約８０〜９０％程度の深さの切り込みとなる弱化線２１を形成したものである。そして使用するにあたっては、これを指先等によって押し出すことにより見出しフラップ２は弱化線２１においてパネル本体１から切り離され、結果的に形成される自由周縁２２側が背折縁１３との接続縁２３を中心に外側に張り出し、見出しフラップ２となるものである。そしてこの見出しフラップ２は適宜の非透明化処理２４がなされている。具体的にはパネル本体１に対して施される化粧印刷１８の印刷工程を利用して紫外線硬化インキによるいわゆるＵＶ印刷により非透明化処理２４がなされる。色調としては、乳白色系に印刷処理されることが好ましいものであって、本実施例では、うらパネル１２の内面をすべて同系の印刷で処理する。従って、うらパネル１２が全体として非透明化され、クリアファイルＦ全体の質感を向上させることができる。なお、おもてパネル１１については、化粧印刷１８が施される部分を除いて透明状態を維持していることが好ましい。
【００２１】
次にカード保持部３について説明する。カード保持部３は、例えば名刺等のカード５を保持するためのものであり、図１、図３（ａ）に示すようにパネル本体１におけるおもてパネル１１を利用して、これに切り込みを入れることにより形成される。具体的には閉じ合わせ縁１５の隅角部近くに縦長の差し込みスリット３１を形成し、一方この差し込みスリット３１に対向するように円弧状の縁押さえフラップ３２を形成する。このカード保持部３の差し込みスリット３１のスリット有効寸法Ｌ１は、カード５の幅寸法に合わせる。例えばカード５について横長に配置するときには、その上下寸法に合わせるものである。また縁押さえフラップ３２の基部保持縁３３と閉じ合わせ縁１５のうちの背折縁１３との間を保持寸法Ｌ２とする。そしてこの保持寸法Ｌ２は、前記カード５の長手方向寸法、すなわち収納姿勢でのカード５の対辺寸法と合致させるように構成されている。
【００２２】
このようなクリアファイルＦに収納資料４を収納するにあたっては、従来の手法と同様、これをポケット部１７に収めて使用する。そして見出しフラップ２を使用するにあたっては、図２に示すように前記弱化線２１を手掛かりに見出しフラップ２をパネル本体１のうち、一例としてうらパネル１２から押し千切るようにして自由周縁２２を背折縁１３から外側に突出させ、これを利用して適宜の見出しを設ける。見出しを設けるにあたっては、もちろん別途接着剤付きのラベル等を貼付してもよいが、フェルトペン等により書き込んでもよい。このとき見出しフラップ２は非透明化処理２４がなされていることから、その文字が鮮明に表示され、視認性に極めて優れているのである。
【００２３】
またカード保持部３を利用して名刺等のカード５を差し込む場合には、差し込みスリット３１にカード５を差し込み、差し込まれたカード５の端縁を背折縁１３に当接されるまで充分差し込み、その状態で縁押さえフラップ３２を引き起こして、カード５の対向する他の端縁を内側に押さえるようにして係止させる。このようにしたときにはカード５は、横方向の移動は基部保持縁３３と背折縁１３が形成する保持寸法Ｌ２がカード５の収納姿勢における幅寸法（対辺寸法）と同じであるから左右の動きは阻止され、且つ上下方向の動きも差し込みスリット３１のスリット有効寸法Ｌ１がカード５の上下方向の寸法と合致しているから、その方向での移動も阻止され、確実な保持がなされる。
【００２４】
このようなクリアファイルＦを製造するにあたっては、図４に示すように原反シートＳに対しあらかじめ化粧印刷１８を施すものである。実際には製造コスト等の関係で、原反シートＳ毎にクリアファイルＦの一つ毎のブランクシート１Ｂを幾つかブランク取りすることも好ましく、この場合には何カ所か整列状態に化粧印刷１８が施される。この化粧印刷１８が施される面は、パネル本体１においてはおもてパネル１１、うらパネル１２共にその内側の面、すなわちポケット部１７を構成する面に施すことが好ましい。これにより化粧印刷１８はブランクシート１Ｂ自体により、いわゆるクリアがけしたように、その発色が鮮やかな状態として得られるのである。また化粧印刷１８自体はいわゆるＵＶ印刷で行うことが製造コストの面で好ましい。
【００２５】
このようにして準備された原反シートＳに対し図３（ｂ）に示すように、所望のブランク取りがなされ、ブランクシート１Ｂが得られる。このブランク取りをするにあたっては、外形を抜き型刃物で切り取れるように加工するとともに、カード保持部３を形成する差し込みスリット３１及び縁押さえフラップ３２も部位を同様に加工するのである。そして見出しフラップ２については、これを打ち抜かず半ば打ち抜き止めした状態とするとともに、一部を切り残し、いわゆるトメ２１Ａを設け、弱化線２１を形成するのである。また背折縁１３については適宜折り癖をあらかじめ付けておく。このようにした状態でブランクシート１Ｂを背折縁１３を境に折り重ね、おもてパネル１１及びうらパネル１２を形成して、その底縁１４において超音波ウェルダーを用いた溶着等によりこの部位を接続させる。
【００２６】
本発明の構成は以上述べた形態を基本的な実施例とするものであるが、更に次のような形態がとり得る。まず見出しフラップ２については、図１等において１カ所形成する実施例を示したものであるが、これを図５に示すように複数個所設けることが可能である。また複数個所設けるにあたり、見出しフラップ２の寸法を図５（ａ）に示すようにすべて同一とするほか、図５（ｂ）に示すようにその見出しフラップ２の寸法を変更させておいてもよい。また図５（ｃ）に示すものは、同一個所に寸法の異なる見出しフラップ２を形成できるような構成とすることも可能である。また見出しフラップ２はパネル本体１におけるうらパネル１２に設けるほか、おもてパネル１１側に設けてももとより差し支えない。おもてパネル１１側に設ける場合、例えばパネル本体１をおもてパネル１１側から見たとすると、非透明化処理２４となる乳白色状のＵＶ印刷が露見状態となり、その結果ここへの見出しの記入が例えば鉛筆等によってもＵＶ印刷の表面のわずかなザラつきにより可能となるのである。
【００２７】
またこのように見出しフラップ２を多数設けるときには、更に後の使用で見出しの変更等が予想され、あるいは見出しフラップ２を戻す必要が生ずる。そのような場合、最も現実的には例えばクリアファイルＦに対し、図６に示すように閉じ戻し用のフラップ戻しシール６を準備しておき、これを張り付けることにより見出しフラップ２を元の状態に戻すことができる。またこのようなフラップ戻しシール６を同梱しない場合、例えば見出しフラップ２に対向した位置に図７に示すようなフラップ戻し切片２６を設け、フラップ戻し切片２６を同様に弱化線を介して形成しておき、これを見出しフラップ２側に設けた戻し用スリット２７に差し込む等の手段により戻し状態を維持するようにすることもできる。
【００２８】
また更にカード保持部３についても、種々の形態がとり得る。すなわちカード保持部３における差し込みスリット３１については、図３（ａ）において縦長配置の実施例を示したものであるが、図３（ｂ）に示すようにこれを横長配置にしてカード５を縦長に収納するような形態をとることも可能である。また差し込みスリット３１については、垂直方向あるいは水平方向に限らず、例えば図３（ｃ）に示すように適宜斜設したような状態であってもよい。なおこの場合であっても差し込みスリット３１の全長をスリット有効寸法Ｌ１とするのではなく、その差し込み方向の高さ方向あるいは水平方向の寸法をスリット有効寸法Ｌ１とするものである。そしてこのように差し込みスリット３１を斜めに形成した場合、それに対応して横方向、あるいは上方向にそれぞれ二つの縁押さえフラップ３２を形成しておけば、カード５を縦長方向、横長方向いずれにも保持し得るものである。
【符号の説明】
【００２９】
１      パネル本体
１１    おもてパネル
１２    うらパネル
１３    背折縁
１４    底縁
１５    閉じ合わせ縁
１６    開放縁
１７    ポケット部
１８    化粧印刷
２      見出しフラップ
２１    弱化線
２１Ａ  トメ
２２    自由周縁
２３    接続縁
２４    非透明化処理
２６    フラップ戻し切片
２７    戻し用スリット
３      カード保持部
３１    差し込みスリット
３２    縁押さえフラップ
３３    基部保持縁
４      収納資料
５      カード
６      フラップ戻しシール
Ｆ      クリアファイル
Ｓ      原反シート
１Ｂ    ブランクシート
Ｌ１    スリット有効寸法
Ｌ２    保持寸法
【図１】
2010280184.tif 000003
【図２】
2010280184.tif 000004
【図３】
2010280184.tif 000005
【図４】
2010280184.tif 000006
【図５】
2010280184.tif 000007
【図６】
2010280184.tif 000008
【図７】
2010280184.tif 000009